(57)【要約】【課題】  装置の原稿台よりも大きい本等を原稿台の上に搭載した場合に指定条件が変更されたり、又は無駄な読取動作が開始されることを防止する。【解決手段】  原稿有無検出部（１）１１は、原稿台に於ける原稿の有無を検出し、操作部７は、指定条件を入力する指定条件入力手段、及び、上記原稿有無検出部（１）１１が原稿有を検出すると画像情報の取得開始要求を受入れ可能とする読取開始スイッチ１３を有し、原稿有無検出部（２）１２は、原稿台近傍の所定の位置に於ける上記原稿の有無を検出し、読取開始スイッチ（２）１４は、指定条件入力手段により入力された上記指定条件に基づいて上記画像情報の取得開始要求を受入れ可能とし、操作制御部６は、原稿有無検出部（２）１２が上記原稿有を検出すると、上記操作部７の機能を停止させる。【選択図】        図１
2007259282.tif 000002
【特許請求の範囲】
【請求項１】
原稿台にセットされた原稿を読み取るように制御する制御部を有する画像読取装置に於いて、
前記原稿台の近傍に設けられ、前記画像読取装置への指示情報を入力する操作部と、
前記操作部から入力された指示情報を前記制御部に通知する操作制御部と、
前記操作部上、または前記原稿台の近傍に設けられ、原稿の有無を検出する原稿検出部とを備え、
前記原稿検出部で原稿が検出された場合、前記操作制御部は、前記操作部から入力された指示情報を無効とすることを特徴とする画像読取装置。
【請求項２】
原稿台にセットされた原稿から指定条件に基づいて画像情報を取得する画像読取装置であって、
前記原稿台に於ける前記原稿の有無を検出する第１の原稿有無検出部と、
前記指定条件を入力する指定条件入力手段、及び、前記第１の原稿有無検出部が前記原稿有を検出すると、前記指定条件入力手段により入力された指定条件に基づく画像情報の取得開始要求を受入れ可能とする第１の読取開始手段を有する操作部と、
前記原稿台近傍の所定の位置に於ける前記原稿の有無を検出する第２の原稿有無検出部と、
前記指定条件入力手段により入力された前記指定条件に基づく画像情報の取得開始要求を受入れ可能とする第２の読取開始手段と、
前記第２の原稿有無検出部が前記原稿有を検出すると、前記操作部の機能を停止させる操作制御部とを備えることを特徴とする画像読取装置。
【請求項３】
前記操作制御部が前記操作部の機能を停止させると、その旨を表示する表示部を更に備えることを特徴とする請求項１に記載の画像読取装置。
【請求項４】
前記表示部の近傍に配設され該表示部の近傍に於ける前記原稿の有無を検出する第３の原稿有無検出部を更に備え、
前記操作制御部は、更に、前記第３の原稿有無検出部が前記原稿有を検出すると前記操作部の機能を停止させ、
前記操作制御部が、前記操作部の機能を停止させると、その旨を音声で通知する音声発生部を更に備えることを特徴とする請求項２に記載の画像読取装置。
【請求項５】
前記第２の読取開始手段は、前記画像情報の取得開始要求を非接触手段に基づいて受入れ可能とすることを特徴とする請求項３に記載の画像読取装置。
【請求項６】
原稿台にセットされた原稿から指定条件に基づいて画像情報を取得する画像読取装置であって、
前記原稿台に於ける前記原稿の有無を検出する原稿有無検出部と、
前記指定条件を入力する指定条件入力手段と、
前記原稿有無検出部が前記原稿有を検出すると前記画像情報の取得開始要求を受入れ可能とする読取開始手段と、
前記指定条件入力手段の機能停止を予め選択可能な特定原稿選択手段とを備えることを特徴とする画像読取装置。
【発明の詳細な説明】
【技術分野】
【０００１】
本発明は、スキャナ、複写機等、原稿から画像情報を読み取る機能を有する画像読取装置に関する。
【背景技術】
【０００２】
画像読取装置では、従来より、原稿台の上に、原稿の有無を検出する原稿有無検出手段が設けられている。この原稿有無検出手段が、原稿ありと判断した場合に、画像読取開始が可能になる。こうすることによって原稿がセットされていない場合に、無意味な画像読取が開始されるのを防止している。
【特許文献１】特開平５−７２８３８号公報
【発明の開示】
【発明が解決しようとする課題】
【０００３】
図１７は、スキャナ装置の使用状態の説明図である。
一方、利用者が画像読取を行うために、装置の原稿台よりも大きい本等を原稿台の上に搭載した場合には、本等の一部が原稿台よりもはみ出してしまうことになる。かかる場合に、上記従来の画像読取装置では、図１７に示すように、そのはみ出した部分が、操作盤に配設されている各種スイッチに覆い被さり、誤ってスイッチを押下してしまうことも発生していた。その結果、読取設定が変更されたり、又は無駄な読取動作が開始される等の不都合が発生するという解決すべき課題が残されていた。
【課題を解決するための手段】
【０００４】
本発明は、原稿台にセットされた原稿を読み取るように制御する制御部を有する画像読取装置に於いて、上記原稿台の近傍に設けられ、上記画像読取装置への指示情報を入力する操作部と、上記操作部から入力された指示情報を上記制御部に通知する操作制御部と、上記操作部上、または上記原稿台の近傍に設けられ、原稿の有無を検出する原稿検出部とを備え、上記原稿検出部で原稿が検出された場合、上記操作制御部は、上記操作部から入力された指示情報を無効とすることを主要な特徴とする。
【発明の効果】
【０００５】
原稿台からはみ出る大きな原稿を原稿台にセットし、その原稿が、操作部の指定条件入力手段を押下することになっても、原稿有無検出部が原稿台近傍の所定の位置に於ける上記原稿の有無を検出すると、操作制御部が、操作部の機能を停止させ、操作部の誤押下が防止できるので無駄な画像読取を排除することが出来るという効果を得る。
【実施例１】
【０００６】
図１は、実施例１によるスキャナ装置の構成を示すブロック図である。
図に示すように、実施例１のスキャナ装置１００は、密着型イメージセンサ２と、ＲＡＭ３と、ＲＯＭ４と、メイン制御部５と、操作制御部６と、操作部７と、表示部８と、モータ９と、Ｉ／Ｆ部１０と、原稿有無検出部（１）１１と、原稿有無検出部（２）１２と、読取開始スイッチ（１）１３と、読取開始スイッチ（２）１４と、信号路１５とを備える。
【０００７】
密着型イメージセンサ２は、原稿を走査して画像情報を取得する部分であり、通常はＣＣＤアレイが用いられる。ＲＡＭ３は、メイン制御部５が、ＲＯＭ４に格納されている制御プログラムを実行する過程のなかで必要になる演算領域を提供するランダムアクセスメモリである。ＲＯＭ４は、メイン制御部５が実行する制御プログラムを予め格納するリードオンリーメモリである。メイン制御部５は、ＲＯＭ４に格納されている制御プログラムを実行し、装置全体を制御するＣＰＵ（マイクロプロセッサ）である。操作制御部６は、所定の条件に基づいて開始スイッチ（１）を含む操作部７の機能を停止させる部分である。ここで所定の条件とは、原稿有無検出部（２）が、原稿台（後に図示する）からはみ出した原稿を検出したときである。
【０００８】
操作部７は、操作者が指定条件を入力する部分であり、更に、原稿有無検出部（１）が、原稿が原稿台にセットされたのを検出すると、読取開始スイッチ（１）を介して操作者から画像情報の取得開始要求を受入れ可能とする部分である。ここで指定条件とは、画像読取条件や、印刷条件を意味する。画像読取条件には、例えばカラー読取にするか、白黒読取にするか等が含まれ、印刷条件には、用紙選択、コピー枚数、縮小設定等が含まれる。
【０００９】
表示部８は、スキャナ装置１００の動作状態や、操作者による操作部７への入力内容等の各種情報を操作者へ表示する液晶表示板などの表示盤である。モータ９は、密着型イメージセンサ２を走査駆動させる電動機である。Ｉ／Ｆ部１０は、取得した画像情報を図示しないパーソナルコンピュータや画像形成装置へ送出するために使用するＵＳＢや、ＩＥＥＥ１３９６等のインタフェースである。原稿有無検出部（１）１１は、原稿台上に原稿がセットされたことを検出する（詳細は後記）センサである。原稿有無検出部（２）１２は、原稿台近傍で原稿台と操作部との間の位置での原稿の有無を検出する（詳細は後記）センサである。
【００１０】
即ち、原稿台の大きさよりも小さい原稿が原稿台上に正常にセットされた場合には、原稿有無検出部（１）１１のみが、原稿を検出することになる。一方、原稿台の大きさよりも大きい原稿が原稿台上にセットされて、原稿が原稿台から操作部側へ所定量はみ出している場合には原稿有無検出部（２）１２と、原稿有無検出部（１）１１とが原稿を検出することになる。又、原稿台の大きさよりも小さい原稿であっても原稿台上に正常にセットされていなければ、原稿有無検出部（１）１１と、原稿有無検出部（２）１２とが原稿を検出することもあり得ることになる。
【００１１】
読取開始スイッチ（１）１３は、操作部７の一部として配設され、操作者から画像情報の取得開始要求を受入れ可能とするスイッチである。原稿台の大きさよりも小さい原稿が原稿台上に正常にセットされた場合には、上記操作制御部６によって機能停止されることはないので、操作者が、このスイッチを押下することによって、密着型イメージセンサ２は、操作部７によって入力された上記指定条件に基づいて、原稿から画像情報の取得を開始することになる。
【００１２】
読取開始スイッチ（２）１４は、（例えば装置側面等に）操作部７とは別個に配設され、操作者から画像情報の取得開始要求を受入れ可能とするスイッチである。原稿台の大きさよりも大きい原稿が原稿台からはみ出た状態にセットされ、かつ、そのはみ出た部分が、上記原稿有無検出部（２）を押下している場合には、上記操作制御部６によって読取開始スイッチ（１）は、機能停止されているので、このスイッチが有効となり、操作者が、このスイッチを押下することによって、密着型イメージセンサ２は、原稿セット前に、操作部７を介して入力された上記指定条件に基づいて、原稿から画像情報の取得を開始することになる。信号路１５は、各構成部分を接続する通信路である。
【００１３】
図２は、実施例１によるスキャナ装置の要部概観図である。
この図は、上記構成部分の主要な機構部分の配設位置の概要を説明するための要部概観図である。図に示すように、密着型イメージセンサ２は、図中Ｘ軸方向に移動して原稿台２０の前面に渡って原稿から画像情報を取得出来るように配設される。操作部７は、原稿台２０の近傍で装置表面の操作し易い手前側に原稿台と同一面、または原稿台面から所定の角度の傾斜面として配設されている。従って、原稿台の大きさよりも大きい原稿が原稿台２０上にセットされて、原稿が原稿台２０を所定量はみ出す場合には、そのはみ出した部分が、操作部７に配設されている各種スイッチに覆い被さることになり、誤ってスイッチを押下してしまうこともあり得る配設状態である。
【００１４】
表示部８は、原稿台２０の近傍で装置表面の見易い場所に配設されている。従って、原稿台２０の大きさよりも大きい原稿が原稿台２０上にセットされて、原稿が原稿台２０を所定量はみ出す場合には、そのはみ出す部分が表示部８を覆って、操作者が表示事項を観難くなる場合が発生し易い状態である。原稿有無検出部（１）１１は、ガラス材で構成される原稿台２０の内側に配置され、原稿がセットされていれば、自己が放射する光線を、原稿が遮ることによって、ガラス材で反射させ、反射光として受光出来るように配設されている。原稿有無検出部（２）１２は、原稿台２０の近傍に配置されている。その詳細について以下に説明する。
【００１５】
図３は、原稿有無検出部（２）の配設位置の説明図である。
（ａ）は、原稿有無検出部（２）１２が原稿台２０と、操作部７との間に配設された場合の例である。（ｂ）は、原稿有無検出部（２）１２が、操作部７の原稿台２０よりの端部に配設された場合の例である。（３）は、原稿有無検出部（２）１２が、操作部７のスイッチ間や中央部に配設された場合の例である。何れの場合であっても、原稿のはみ出し部分が、読取開始スイッチ（１）１３を含む操作部７や、表示部８を覆うのを検出し易いように配設される。
【００１６】
図４は、原稿有無検出部（２）の構造説明図である。
この図は、原稿有無検出部（２）の構造の概略を示す図である。（ａ）は、押下型スイッチであり、原稿のはみ出し部分によって、ボタン１０１が、スプリング１０３の応力に抗して押下されると、コンタクト１０２ａ、及びコンタクト１０２ｂが接触することによって原稿のはみ出しを検出する。（ｂ）は、光インタラプタ型スイッチであり、原稿のはみ出し部分によって、レバー１０４が、スプリング１０３の応力に抗して、軸１０５を中心に回転し、フォトインタラプタの光線を遮断することによって原稿のはみ出しを検出する。（ｃ）は、光反射型スイッチであり、ガラス板１０６が原稿のはみ出し部分によって覆われると、発光部１０８が放射する光線がガラス板１０６で反射して受光部１０７へ入射される。この場合に、原稿のはみ出し部分以外のもの、例えば、操作者の腕などと区別するのは、その反射光量（閾値）によって区別することが出来る。
【００１７】
再度図２に戻って、読取開始スイッチ（２）１４は、原稿のはみ出し部分などによって覆われることを排除するために、例えば装置側面や圧板２１の表面または側面に配設される。ガラス材で構成される原稿台２０は、原稿を正確にセットさせるために、従来の画像読取装置と同様に装置中央部に正確に平滑に配設される。圧板２１も、従来の画像読取装置と同様に、原稿を正確にかつ光漏れを防止してセットさせるべく原稿台２０より少し大きめのものが配設される。
【００１８】
次に、実施例１の動作について説明する。
図５は、実施例１の画像読取装置の動作フローチャートである。
このフローチャートは、操作者が、スキャナ装置１００（図１）に対して、操作部７（図１）を用いて、読取条件や、印刷条件の設定を行った後、原稿台２０（図２）の上に所定の原稿をセットした状態を開始点としたフローチャートである。以下に図１を併用しながらステップＳ１−１からステップＳ１−１１までステップ順に説明する。
【００１９】
ステップＳ１−１
メイン制御部５は、原稿有無検出部（２）１２が、原稿はみ出し部分を検出しているときはステップＳ１−２へ進み、検出していない場合にはステップＳ１−９へ進む。
【００２０】
ステップＳ１−２
操作制御部６は、読取開始スイッチ（１）１３を含む操作部７の機能を停止させる（入力無効）。即ち、読取開始スイッチ（１）１３が操作者や原稿によって押下されても画像情報の取得が開始されないことになる。又、操作者の入力や原稿による押下により操作部７から、読取条件や、印刷条件の変更要求が有っても受入れないことになる。また、読取開始スイッチ（２）１４を有効とする。
【００２１】
ステップＳ１−３
メイン制御部５は、表示部８に「操作パネル上のスイッチは無効状態です。ブック読み専用開始キーを押下してコピーをスタートして下さい。」という表示を行う。ここでブック読み専用開始キーとは、読取開始スイッチ（２）１４を指している。
【００２２】
ステップＳ１−４
メイン制御部５は、読取開始スイッチ（２）１４が押下されたか否かを判断し、押下された場合にはステップＳ１−５へ進み、押下されない場合には、ステップＳ１−１へ戻って再度フローを繰返す。
【００２３】
ステップＳ１−５
メイン制御部５は、原稿有無検出部（１）１１を介して、原稿台２０（図２）に原稿がセットされているか否かを確認し、原稿がセットされている場合にはステップＳ１−６へ進み、セットされていない場合にはステップＳ１−１１へ進む。
【００２４】
ステップＳ１−６
メイン制御部５は、密着型イメージセンサ２に対して原稿読取を開始させる。続いてメイン制御部５は、信号路１５を介して密着型イメージセンサ２から画像情報を受入れる。この画像情報は、Ｉ／Ｆ部１０を介して外部機器へ転送される。
【００２５】
ステップＳ１−７
メイン制御部５は、密着型イメージセンサ２による原稿読取が完了するまでステップＳ１−６とステップＳ１−７を繰返させ、原稿読取が完了するとステップＳ１−８へ進む。
【００２６】
ステップＳ１−８
メイン制御部５は、密着型イメージセンサ２による原稿読取が完了すると、密着型イメージセンサ２をホームポジションへ戻させてフローを終了する。
【００２７】
ステップＳ１−９
ここでは、原稿有無検出部（２）１２が、原稿はみ出し部分を検出していないので操作制御部６は操作部７の入力を有効としている。また、読取開始スイッチ（２）を無効とする。
【００２８】
ステップＳ１−１０
メイン制御部５は、読取開始スイッチ（１）１３を監視し、操作者によって読取開始スイッチ（１）１３が押下されるのを待って、押下されるとステップＳ１−５へ進む。
【００２９】
ステップＳ１−１１
メイン制御部５は、表示部８に「原稿台に原稿をセットして下さい。」という表示を行ってステップＳ１−１へ戻る。
【００３０】
以上説明したように、本実施例によれば、原稿有無検出部（２）１２が原稿はみ出し部分を検出すると、操作制御部６が、読取開始スイッチ（１）１３を含む、操作部７の機能を停止させるので、原稿台からはみ出る大きな原稿を原稿台にセットし、その原稿が、操作部７の指定条件入力手段、又は読取開始スイッチ（１）１３を押下して誤動作することになっても、無駄な画像読取を排除することが出来るという効果を得る。
【００３１】
上記説明では、特に明確にはしなかったが、メイン制御部５が、所定時間間隔（例えば１秒毎）に原稿有無検出部（２）１２を監視することとしても良い。又上記、ステップＳ１−３及びステップＳ１−１１では、メイン制御部５は、所定の事項を表示部８に表示させることとしているが、かかる場合に、表示部８が、原稿のはみ出し部分によって見え難くなる場合も想定できるので、表示と共に所定の位置にランプ点灯させることにしても良い。
【実施例２】
【００３２】
上記実施例１では、原稿有無検出部（２）１２が、原稿のはみ出し部分を検出すると、メイン制御部５が、表示部８に所定の表示を行うこととした。しかし、時には、原稿のはみ出し部分が、表示部８をも覆ってしまい、操作者にとって表示部８が見難くなる場合も発生し得る。本実施例では、かかる場合には、音声を用いて操作者に所定の事項を伝えることとする。
【００３３】
図６は、実施例２によるスキャナ装置の構成を示すブロック図である。
図に示すように、実施例２のスキャナ装置２００は、密着型イメージセンサ２と、ＲＡＭ３と、ＲＯＭ４と、メイン制御部５と、操作制御部６と、操作部７と、表示部８と、モータ９と、Ｉ／Ｆ部１０と、原稿有無検出部（１）１１と、原稿有無検出部（２）１２と、読取開始スイッチ（１）１３と、読取開始スイッチ（２）１４と、信号路１５と、原稿有無検出部（３）１６と、音声発生部１７を備える。以下に実施例１との相違部分のみについて説明する。実施例１と同様の部分については、実施例１と同一の符号を付して説明を省略する。
【００３４】
原稿有無検出部（３）１６は、表示部８近傍で原稿台と表示部との間の位置での原稿の有無を検出するセンサである。即ち、原稿のはみ出しによって表示部８が見え難くなっている状態を検出するセンサである。その構造は上記図４を用いて説明した原稿有無検出部（２）１２と同様である。音声発生部１７は、図示しない音声合成ＩＣ、信号増幅器、及びスピーカーとで構成され、所定の警告を発声する部分である。
【００３５】
図７は、実施例２によるスキャナ装置の要部概観図である。
この図は、上記構成部分の主要な機構部分の配設位置の概要を説明するための要部概観図である。実施例１との相違部分のみについて以下に説明する。原稿有無検出部（３）１６は、原稿有無検出部（２）１２と同様に原稿台２０の近傍に並べて配置されている。音声発生部１７は、原稿のはみ出し部分などによって覆われることを排除するために、装置側面に配設される。
【００３６】
図８は、原稿有無検出部（３）の配設位置の説明図である。
（ａ）は、原稿有無検出部（３）１６が原稿台２０と、表示部８との間に配設された場合の例である。（ｂ）は、原稿有無検出部（３）１６が、表示部８の原稿台２０よりの端部に配設された場合の例である。（ｃ）は、原稿有無検出部（３）１６が表示部８の周辺部に配設された場合の例である。何れの場合であっても、原稿のはみ出し部分が、表示部８を覆うのを検出し易いように配設される。
【００３７】
次に、実施例２の動作について説明する。
図９は、実施例２の画像読取装置の動作フローチャートである。
このフローチャートは、操作者が、スキャナ装置２００（図６）に対して、操作部７（図６）を用いて、読取条件や、印刷条件の設定を行った後、原稿台２０（図７）の上に所定の原稿をセットした状態を開始点としたフローチャートである。以下に図６を併用しながらステップＳ２−１からステップＳ２−１３までステップ順に説明する。
【００３８】
ステップＳ２−１
メイン制御部５は、原稿有無検出部（２）１２が、原稿はみ出し部分を検出しているときはステップＳ２−２へ進み、検出していない場合にはステップＳ２−１１へ進む。
【００３９】
ステップＳ２−２
操作制御部６は、読取開始スイッチ（１）１３を含む操作部７の機能を停止させる（入力無効とする）。即ち、読取開始スイッチ（１）１３が操作者や原稿によって押下されても画像情報の取得が開始されないことになる。又、操作者の入力や原稿による押下により操作部７から、読取条件や、印刷条件の変更要求が有っても受入れないことになる。
【００４０】
ステップＳ２−３
メイン制御部５は、表示部８に「操作パネル上のスイッチは無効状態です。ブック読み専用開始キーを押下してコピーをスタートして下さい。」という表示を行う。ここでブック読み専用開始キーとは、読取開始スイッチ（２）１４を指している。
【００４１】
ステップＳ２−４
メイン制御部５は、原稿有無検出部（３）が、原稿はみ出し部分を検出しているときはステップＳ２−５へ進み、検出していない場合にはステップＳ２−６へ進む。
【００４２】
ステップＳ２−５
原稿のはみ出しによって表示部８が見え難くなっている状態なので、メイン制御部５は、音声発生部１７に対して「操作パネル上のスイッチは無効状態です。ブック読み専用開始キーを押下してコピーをスタートして下さい。」と発声させる。
【００４３】
ステップＳ２−６
メイン制御部５は、読取開始スイッチ（２）１４が押下されたか否かを判断し、押下された場合にはステップＳ２−７へ進み、押下されない場合には、ステップＳ２−１へ戻って再度フローを繰返す。
【００４４】
ステップＳ２−７
メイン制御部５は、原稿有無検出部（１）１１を介して、原稿台２０（図７）に原稿がセットされているか否かを確認し、原稿がセットされている場合にはステップＳ２−８へ進み、セットされていない場合にはステップＳ２−１３へ進む。
【００４５】
ステップＳ２−８
メイン制御部５は、密着型イメージセンサ２に対して原稿読取を開始させる。続いてメイン制御部５は、信号路１５を介して密着型イメージセンサ２から画像情報を受入れる。この画像情報は、Ｉ／Ｆ部１０を介して外部機器へ転送される。
【００４６】
ステップＳ２−９
メイン制御部５は、密着型イメージセンサ２による原稿読取が完了するまでステップＳ２−８とステップＳ２−９を繰返させ、原稿読取が完了するとステップＳ２−１０へ進む。
【００４７】
ステップＳ２−１０
メイン制御部５は、密着型イメージセンサ２による原稿読取が完了すると、密着型イメージセンサ２をホームポジションへ戻させてフローを終了する。
【００４８】
ステップＳ２−１１
ここでは、原稿有無検出部（２）１２が、原稿はみ出し部分を検出していないので操作制御部６は操作部７の入力を有効としている。
【００４９】
ステップＳ２−１２
メイン制御部５は、読取開始スイッチ（１）１３を監視し、操作者によって読取開始スイッチ（１）１３が押下されるのを待って、押下されるとステップＳ２−７へ進む。
【００５０】
ステップＳ２−１３
メイン制御部５は、音声発生部１７に対して「原稿台に原稿をセットして下さい。」と発声させてステップＳ２−１へ戻る。
【００５１】
以上説明したように、本実施例によれば、原稿台からはみ出る大きな原稿を原稿台にセットし、その表示部に表示している文面を音声で発声するため、操作に支障が出ない上、原稿のはみ出し部分によって操作部のボタンが押下されても、操作部の機能が停止されているので無駄な画像読取を排除することが出来るという効果を得る。
【実施例３】
【００５２】
本実施例では、原稿台からはみ出る大きな原稿が、例えば本等であって、両手を用いて原稿を押さえる必要があるため利用者が自分の手で読取開始スイッチを直接押下出来なくなる場合を想定する。
図１０は、実施例３によるスキャナ装置の構成を示すブロック図である。
図に示すように、実施例３のスキャナ装置３００は、密着型イメージセンサ２と、ＲＡＭ３と、ＲＯＭ４と、メイン制御部５と、操作制御部６と、操作部７と、表示部８と、モータ９と、Ｉ／Ｆ部１０と、原稿有無検出部（１）１１と、原稿有無検出部（２）１２と、読取開始スイッチ（１）１３と、信号路１５と、原稿有無検出部（３）１６と、音声発生部１７と、非接触読取開始スイッチ１８とを備える。本実施例では、実施例３に於ける読取開始スイッチ（２）１４が、非接触読取開始スイッチ１８に置き換えられている。その他の部分は、実施例２と同様なので非接触読取開始スイッチ１８のみについて以下に説明する。実施例２と同様の部分については、実施例２と同一の符号を付して説明を省略する。
【００５３】
非接触読取開始スイッチ１８は、（例えば装置側面等に）操作部７とは別個に配設され、操作者から画像情報の取得開始要求を受入れ可能とするスイッチである。原稿台の大きさよりも大きい原稿が原稿台からはみ出た状態にセットされ、かつ、そのはみ出た部分が、上記原稿有無検出部（２）を押下している場合には、上記操作制御部６によって読取開始スイッチ（１）は、機能停止されているので、操作者が、この非接触読取開始スイッチ１８をオンすることによって、密着型イメージセンサ２は、原稿セット前に、操作部７を介して入力された上記指定条件に基づいて、原稿から画像情報の取得を開始することになる。
【００５４】
図１１は、実施例３によるスキャナ装置の要部概観図である。
この図は、上記構成部分の主要な機構部分の配設位置の概要を説明するための要部概観図である。実施例２との相違部分のみについて以下に説明する。非接触読取開始スイッチ１８は、実施例２における読取開始スイッチ（２）（図７）と同様に、原稿のはみ出し部分などによって覆われることを排除するために、例えば装置側面に配設される。
【００５５】
図１２は、非接触読取開始スイッチの回路ブロック図である。
図に示すように、非接触読取開始スイッチ１８は、マイク１８−１で操作者の音声を受入れて電気信号に変換する。この信号は、増幅器１８−２で増幅され、ローパスフィルタ１８−３を通過した後比較器１８−４へ送られ、ディジタル信号に変換される。このディジタル信号の波形に基づいて読取開始要求信号か否かが判定される。例えば、１例として操作者が装置本体を２回軽く叩いた音声を読取開始要求信号と定めると、このディジタル信号から、その２回軽く叩いた信号が識別されれば読取開始要求信号であると判断されることになる。または「スタート」という発音を認識して、読取開始要求信号であると判断する。
【００５６】
次に、実施例３の動作について説明する。
図１３は、実施例３の画像読取装置の動作フローチャートである。
このフローチャートは、操作者が、スキャナ装置３００（図１０）に対して、操作部７（図１０）を用いて、読取条件や、印刷条件の設定を行った後、原稿台２０（図１１）の上に所定の原稿をセットした状態を開始点としたフローチャートである。以下に図１０を併用しながらステップＳ３−１からステップＳ３−１３までステップ順に説明する。
【００５７】
ステップＳ３−１
メイン制御部５は、原稿有無検出部（２）１２が、原稿はみ出し部分を検出しているときはステップＳ３−２へ進み、検出していない場合にはステップＳ３−１１へ進む。
【００５８】
ステップＳ３−２
操作制御部６は、読取開始スイッチ（１）１３を含む操作部７の機能を停止させ（入力無効とし）、非接触読取開始スイッチ１８を有効にする。即ち、読取開始スイッチ（１）１３が操作者や原稿によって押下されても画像情報の取得が開始されないことになる。又、操作者の入力や原稿による押下により操作部７から、読取条件や、印刷条件の変更要求が有っても受入れないことになる。
【００５９】
ステップＳ３−３
メイン制御部５は、表示部８に「本体を２回叩くと、読取スタートします。」という表示を行う。
【００６０】
ステップＳ３−４
メイン制御部５は、原稿有無検出部（３）が、原稿はみ出し部分を検出しているときはステップＳ３−５へ進み、検出していない場合にはステップＳ３−６へ進む。
【００６１】
ステップＳ３−５
原稿のはみ出しによって表示部８が見え難くなっている状態なので、メイン制御部５は、音声発生部１７に対して「本体を２回叩くと、読取スタートします。」と発声させる。
【００６２】
ステップＳ３−６
メイン制御部５は、非接触読取開始スイッチ１８がオンされたか否かを判断し、オンされた場合にはステップ３−７へ進み、オンされていない場合には、ステップＳ３−１へ戻って再度フローを繰返す。
【００６３】
ステップＳ３−７
メイン制御部５は、原稿有無検出部（１）１１を介して、原稿台２０（図７）に原稿がセットされているか否かを確認し、原稿がセットされている場合にはステップＳ３−８へ進み、セットされていない場合にはステップＳ３−１３へ進む。
【００６４】
ステップＳ３−８
メイン制御部５は、密着型イメージセンサ２に対して原稿読取を開始させる。続いてメイン制御部５は、信号路１５を介して密着型イメージセンサ２から画像情報を受入れる。この画像情報は、Ｉ／Ｆ部１０を介して外部機器へ転送される。
【００６５】
ステップＳ３−９
メイン制御部５は、密着型イメージセンサ２による原稿読取が完了するまでステップＳ３−８とステップＳ３−９を繰返させ、原稿読取が完了するとステップＳ３−１０へ進む。
【００６６】
ステップＳ３−１０
メイン制御部５は、密着型イメージセンサ２による原稿読取が完了すると、密着型イメージセンサ２をホームポジションへ戻させてフローを終了する。
【００６７】
ステップＳ３−１１
ここでは、原稿有無検出部（２）１２が、原稿はみ出し部分を検出していないので操作制御部６は操作部７の入力を有効とし、非接触読取開始スイッチ１８は無効とされている。
【００６８】
ステップＳ３−１２
メイン制御部５は、読取開始スイッチ（１）１３を監視し、操作者が読取開始スイッチ（１）１３を押下させるのを待って、押下されるとステップＳ３−７へ進む。
【００６９】
ステップＳ３−１３
メイン制御部５は、音声発生部１７に対して「原稿台に原稿をセットして下さい。」と発声させてステップＳ３−１へ戻る。
【００７０】
以上説明したように、本実施例によれば、実施例２の効果に加えて、本等の原稿を押さえていて、手が離せない場合でも、読取開始できるので操作性が向上するという効果を得る。
【実施例４】
【００７１】
本実施例では、原稿台からはみ出る大きな原稿をセットする場合に、操作者が指定条件を入力した後、自己の選択によって、予め操作部の機能を停止させることを可能にする。
図１４は、実施例４によるスキャナ装置の構成を示すブロック図である。
図に示すように、実施例４のスキャナ装置４００は、密着型イメージセンサ２と、ＲＡＭ３と、ＲＯＭ４と、メイン制御部５と、操作制御部６と、操作部７と、表示部８と、モータ９と、Ｉ／Ｆ部１０と、原稿有無検出部（１）１１と、信号路１５と、操作部７０と、読取開始スイッチ（３）７１と、はみ出し原稿選択スイッチ７２とを備える。本実施例では、実施例１に於ける、読取開始スイッチ（１）１３を含む操作部７が、読取開始スイッチ（３）７１と、はみ出し原稿選択スイッチ７２を含む操作部７０に置き換えられ、原稿有無検出部（２）１２と、読取開始スイッチ（２）が削除されている。その他の部分は、実施例１と同様なので読取開始スイッチ（３）７１と、はみ出し原稿選択スイッチ７２を含む操作部７０のみについて以下に説明する。実施例１と同様の部分については、実施例１と同一の符号を付して説明を省略する。
【００７２】
読取開始スイッチ（３）７１と、はみ出し原稿選択スイッチ７２を含む操作部７０は、操作者が指定条件を入力する部分であり、更に、原稿有無検出部（１）が、原稿が原稿台にセットされたのを検出すると、読取開始スイッチ（３）を介して操作者から画像情報の取得開始要求を受入れ可能とする部分である。更に、操作者が原稿台からはみ出るような大きな原稿を原稿台にセットする前に、自己の選択により、はみ出し原稿選択スイッチ７２を押下すると、その後の指定条件の入力又は変更を無効にする機能を備える部分である。
【００７３】
図１５は、実施例４によるスキャナ装置の要部概観図である。
この図は、上記構成部分の主要な機構部分の配設位置の概要を説明するための要部概観図である。実施例１との相違部分のみについて以下に説明する。実施例１に於ける読取開始スイッチ（２）１４（図２）が削除され、実施例１に於ける読取開始スイッチ（１）１３（図２）の位置に読取開始スイッチ（３）７１が配設される。その他の部分は実施例１と同様である。
【００７４】
次に、実施例４の動作について説明する。
図１６は、実施例４の画像読取装置の動作フローチャートである。
このフローチャートは、操作者が、スキャナ装置４００（図１４）に対して、操作部７０（図１４）を用いて、読取条件や、印刷条件の設定を行った後、原稿台２０（図１５）の上に本等、原稿台２０（図１５）をはみ出る大きな原稿をセットした状態を開始点としたフローチャートである。以下に図１４を併用しながらステップＳ４−１からステップＳ４−１１までステップ順に説明する。
【００７５】
ステップＳ４−１
メイン制御部５は、はみ出し原稿選択スイッチ７２が押下されているか否かを判断し、押下されていないときはステップＳ４−２へ進み、押下されているときは、ステップＳ４−７へ進む。
【００７６】
ステップＳ４−２
メイン制御部５は、読取開始スイッチ（３）７１が押下されるのを待って、押下されるとステップＳ４−３へ進む。
【００７７】
ステップＳ４−３
メイン制御部５は、原稿有無検出部（１）１１を介して、原稿台２０（図１５）に原稿がセットされているか否かを確認し、原稿がセットされている場合にはステップＳ４−４へ進み、セットされていない場合にはステップＳ４−１１へ進む。
【００７８】
ステップＳ４−４
メイン制御部５は、密着型イメージセンサ２に対して原稿読取を開始させる。続いてメイン制御部５は、信号路１５を介して密着型イメージセンサ２から画像情報を受入れる。この画像情報は、Ｉ／Ｆ部１０を介して外部機器へ転送される。
【００７９】
ステップＳ４−５
メイン制御部５は、密着型イメージセンサ２による原稿読取が完了するまでステップＳ４−４とステップＳ４−５を繰返させ、原稿読取が完了するとステップＳ４−６へ進む。
【００８０】
ステップＳ４−６
メイン制御部５は、密着型イメージセンサ２による原稿読取が完了すると、密着型イメージセンサ２をホームポジションへ戻させてフローを終了する。
【００８１】
ステップＳ４−７
操作制御部６は、読取開始スイッチ（３）７１を含む操作部７０の機能を停止させる（入力無効とする）。即ち、読取開始スイッチ（３）７１が操作者や原稿によって押下されても画像情報の取得が開始されないことになる。又、操作者の入力や原稿による押下により操作部７０から、読取条件や、印刷条件の変更要求が有っても受入れないことになる。
【００８２】
ステップＳ４−８
メイン制御部５は、表示部８に「原稿をセット５秒後に読み取りを開始します。」という表示を行う。
【００８３】
ステップＳ４−９
メイン制御部５は、原稿有無検出部（１）１１を介して、原稿台２０（図１５）に原稿がセットされるのを待って、原稿がセットされた後ステップＳ４−１０へ進む。
【００８４】
ステップＳ４−１０
タイマーが働き、５秒後にステップＳ４−４へ進む。
【００８５】
ステップＳ４−１１
メイン制御部５は、表示部８に「原稿台に原稿をセットして下さい。」という表示を行ってステップＳ４−３へ戻る。
【００８６】
以上説明したように、本実施例によれば、原稿台からはみ出るような大きな原稿を原稿台にセットする前に、操作者が、はみ出し原稿選択スイッチを押下すると操作部の機能が停止するので、上記実施例１〜実施例３では必要としていた原稿有無検出部（２）や原稿有無検出部（３）を削除しても、原稿のはみ出し部分が操作部を覆って、ボタンを誤って押下することが無くなるという効果を得る。
【産業上の利用可能性】
【００８７】
以上の説明では、本発明をスキャナに適用した場合について説明したが、本発明は、この例に限定されるものではない。即ち、ファクシミリ装置や、複写機、複合機などにも適用可能である。
【図面の簡単な説明】
【００８８】
【図１】実施例１によるスキャナ装置の構成を示すブロック図である。
【図２】実施例１によるスキャナ装置の要部概観図である。
【図３】原稿有無検出部（２）の配設位置の説明図である。
【図４】原稿有無検出部（２）の構造説明図である。
【図５】実施例１の画像読取装置の動作フローチャートである。
【図６】実施例２によるスキャナ装置の構成を示すブロック図である。
【図７】実施例２によるスキャナ装置の要部概観図である。
【図８】原稿有無検出部（３）の配設位置の説明図である。
【図９】実施例２の画像読取装置の動作フローチャートである。
【図１０】実施例３によるスキャナ装置の構成を示すブロック図である。
【図１１】実施例３によるスキャナ装置の要部概観図である。
【図１２】非接触読取開始スイッチの回路ブロック図である。
【図１３】実施例３の画像読取装置の動作フローチャートである。
【図１４】実施例４によるスキャナ装置の構成を示すブロック図である。
【図１５】実施例４によるスキャナ装置の要部概観図である。
【図１６】実施例４の画像読取装置の動作フローチャートである。
【図１７】スキャナ装置の使用状態の説明図である。
【符号の説明】
【００８９】
２    密着型イメージセンサ
３    ＲＡＭ
４    ＲＯＭ
５    メイン制御部
６    操作制御部
７    操作部
８    表示部
９    モータ
１０    Ｉ／Ｆ部
１１    原稿有無検出部（１）
１２    原稿有無検出部（２）
１３    読取開始スイッチ（１）
１４    読取開始スイッチ（２）
１５    信号路
１００    スキャナ装置
【図１】
2007259282.tif 000003
【図２】
2007259282.tif 000004
【図３】
2007259282.tif 000005
【図４】
2007259282.tif 000006
【図５】
2007259282.tif 000007
【図６】
2007259282.tif 000008
【図７】
2007259282.tif 000009
【図８】
2007259282.tif 000010
【図９】
2007259282.tif 000011
【図１０】
2007259282.tif 000012
【図１１】
2007259282.tif 000013
【図１２】
2007259282.tif 000014
【図１３】
2007259282.tif 000015
【図１４】
2007259282.tif 000016
【図１５】
2007259282.tif 000017
【図１６】
2007259282.tif 000018
【図１７】
2007259282.tif 000019